(57)【要約】【課題】任意の２台の無線機器間において認証データを容易に交換する。【解決手段】  認証モードにおいて任意の２台の無線機器Ａ、Ｂ間において、一方の無線機器のＬＥＤ１〜ＬＥＤ３のランダムに選択した組み合わせを今回の自機認証データとして、その組み合わせの順番で各ＬＥＤを点灯表示する。他方の無線機器側Ｂでは、前記点灯順序を目視したユーザがそれに合わせてキー入力することでの無線機器Ｂの今回の認証データとしてこれを無線機器Ａにおくることで、認証データの交換を行う。【選択図】  図１
2009089058.tif 000002
【特許請求の範囲】
【請求項１】
任意の２台の無線機器間において認証データを交換する方法であって、
前記無線機器を認証モードに遷移する工程と、
一方の無線機器の表示手段で認証データを表示する工程と、
前記表示した認証データに従って他方の無線機器で認証データとして所定の入力を行う工程と、
前記他方側の無線機器の認証データを前記一方の無線機器に送信する工程と、
前記一方の無線機器で前記認証データの対応の一致を確認する工程と、
を有することを特徴とする認証データ交換方法。
【請求項２】
任意の２台の無線機器間において認証データを交換する方法であって、
前記無線機器を認証モードに遷移する工程と、
一方の無線機器の表示手段で認証データを表示する工程と、
一方の無線機器から他方無線機器に表示情報を送信する工程と、
前記表示した認証データに従って他方の無線機器の認証データとして所定の入力を行う工程と、
前記他方の無線機器で前記認証データの対応の一致を確認する工程と、
前記他方側の無線機器の前記認証データを前記一方の無線機器に送信する工程と、
を有することを特徴とする認証データ交換方法。
【請求項３】
請求項１又は２に記載された認証データ交換方法において、
前記認証データを表示する工程は、複数の発光手段を認証データに関連付けた順序で点灯する工程であることを特徴とする認証データ交換方法。
【請求項４】
請求項１又は２に記載された認証データ交換方法において、
前記各認証データの対応の一致を確認する工程を前記複数の発光手段の点灯毎に実施し、前記一致が確認できないとき、前記発光手段の点灯を停止することを特徴とする認証データ交換方法。
【請求項５】
複数の認証データを記録した記憶手段と、
前記記録した複数の認証データから表示用認証データをランダムに選択する手段と、
選択した認証データに関連付けて複数の表示手段を順に表示制御する手段と、
を有することを特徴とする無線機器。
【発明の詳細な説明】
【技術分野】
【０００１】
本発明は無線機器同士の認証データの交換方法、及び無線機器に関する。
【背景技術】
【０００２】
無線機器は電波を使って交信（通信）するため、有線機器とは異なり、複数のネットワークと交信可能であり、互いに機器間で通信を行うと混信状態が生じる可能性がある。
このため、従来互いに通信する機器同士で識別情報や暗号キー（総称してＩＤデータという）を設定して、互いの認証データが認証（縁組みという）された場合にのみ通信を行うようにしている。
このように、無線機器間で通信を行うためには、互いにＩＤデータを設定する必要があるが、その無線機器が一対のもの、つまり両者の関係が固定されたものであれば、製品出荷時にそれぞれメモリに共通のＩＤデータを格納しておけば済むが、実際には、ユーザがその製品を利用のため設置するときに、ＩＤデータを設定することが多い。
この場合の設定としては、予め一方の無線機器に格納されているＩＤデータを他方の無線機器に設定するか、或いは一対の無線機器を同時に認証できるモードへ遷移させて、互いに無線通信におりＩＤデータなどの交換を行うことで設定している。
【０００３】
ところが、一対の無線機器を同時に認証できるモードへ遷移させて、互いに無線通信により認証データの交換を行う場合は、同時に近隣に配置された別の無線機器が同じモードに遷移していると、本来の意図に反して別の無線機器とのＩＤデータが交換されたり、混信して縁組みがうまくいかないことがある。
【０００４】
また、これとは別に、無線機器Ａと無線機器Ｂの縁組みを行っているときに、同時に近隣機器ＣとＤの縁組みを行うと、本来意図しない、無線機器Ａと無線機器Ｄ、或いは無線機器Ｃと無線機器Ｂなどの縁組みがなされる可能性がある。これは、無線機器は近隣の状態を認識できなくとも無線回線上で通信ができてしまうというその特有の機能に基づくものであるため、避けることができない。
【０００５】
図５は、上記従来の無線機器間におけるＩＤデータ設定時の状態を説明するための図である。無線親機Ａには無線子機Ｂと共にこれとは関係のない別の無線親機Ｃと無線子機Ｄが近隣に存在している。つまり、いま無線子機Ｂと縁組みしたいとする無線親機Ａの近隣には別の無線親機Ｃとその無線子機Ｄとが存在しており、たまたま同時に認証モードに遷移していると上記のような問題が生じる。
【０００６】
なお、ＬＥＤを発光させて認証データを表示・設定する方法自体は、例えば特許文献１に記載されている。これは２台のカメラの認証データを設定するものであって、マスタ・カメラとスレーブ・カメラとを前面が対向するように配置し、それぞれのカメラにおいてそれぞれに固有のカメラＩＤデータを表すように発光光量，発光間隔，発光時間等を制御してＬＥＤで発光させ、これを互いに撮影して、発光画像データからカメラで読みとり、それぞれのカメラのメモリに格納するものである。
【特許文献１】特許公開２００４−８８３７１号公報
【発明の開示】
【発明が解決しようとする課題】
【０００７】
本発明は、従来の縁組み方法における上記問題に鑑みてなされたものであって、その目的は新規な認証データ（ここでは、互いに無線通信を行うに先立って相手側機器が自機を同定するための一時的な認証データをいう）交換方法により意図しない縁組みを防止しつつ、簡易な方法で近隣に別の認証データ遷移モードに遷移した無線機器があっても、対象とする相手側無線機器とだけ互いに認証データ交換を確実に行えるようにすることである。
【課題を解決するための手段】
【０００８】
請求項１の発明は、任意の２台の無線機器間において認証データを交換する方法であって、前記無線機器を認証モードに遷移する工程と、一方の無線機器の表示手段で認証データを表示する工程と、前記表示した認証データに従って他方の無線機器で所定の入力を行う工程と、前記入力結果を前記他方側の無線機器の認証データとして前記一方の無線機器に送信する工程と、前記一方の無線機器で前記認証データの対応の一致を確認する工程と、を有することを特徴とする。
請求項２の発明は、任意の２台の無線機器間において認証データを交換する方法であって、前記無線機器を認証モードに遷移する工程と、一方の無線機器の表示手段で認証データを表示する工程と、一方の無線機器から他方無線機器に表示情報を送信する工程と、前記表示した認証データに従って他方の無線機器の認証データとして所定の入力を行う工程と、前記他方の無線機器で前記認証データの対応の一致を確認する工程と、前記入力結果を前記他方側の無線機器の認証データとして前記一方の無線機器に送信する工程と、を有することを特徴とする。
請求項３の発明は、請求項１又は２に記載された認証データ交換方法において、前記認証データを表示する工程は、複数の発光手段を認証データに関連付けた順序で点灯する工程であることを特徴とする。
請求項４の発明は、請求項１又は２に記載された認証データ交換方法において、前記各認証データの対応の一致を確認する工程を、前記複数の発光手段の点灯毎に実施し、前記一致が確認できないとき、請求項１記載の認証データ交換方法では前記発光手段の点灯を、又は請求項２記載の認証データ交換方法では前記他方の無線機器から一方の無線機器への一致信号の送信を、それぞれ停止することを特徴とする。
請求項５の発明は、複数の認証データを記録した記憶手段と、前記記録した複数の認証データから表示用認証データをランダムに選択する手段と、選択した認証データに関連付けて複数の表示手段を順に表示制御する手段と、を有することを特徴とする。
【発明の効果】
【０００９】
本発明によれば、簡易な方法でしかも相手側無線機器だけに自分の認証データを伝えて認証できるため、これに基づき対象とする無線機器同士だけを自由にかつ安全に通信可能な状態にすることができる。また、相手側認証データの表示に従って順に入力できるため、相手側認証データを誤りなくかつ容易に入力可能である。
【発明を実施するための最良の形態】
【００１０】
本発明の実施形態に係る認証データ交換方法を、添付図面を参照して説明する。
本実施形態は、例えば２台の無線機器Ａと無線機器Ｂ間で認証データ交換を行うため、互いに認証モードへ遷移させる。その際、一方の無線機器側で、互いに所定の間隔を保って配列された複数の発光手段、例えばＬＥＤ（Light Emitting Diode：ＬＥＤ１〜ＬＥＤ３）により、その点灯（発光）順序又は点灯タイミングで交換しようとする認証データを表示する。他方側の無線機器Ｂ側では、無線機器Ｂをパソコン（Personal Computer）等に接続し、パソコン等の入力キーを用いて上記ＬＥＤ１〜ＬＥＤ３の点灯に合わせてキー操作し、そのキー操作で入力された情報と前記一方の無線機器Ａから送信されてくるＬＥＤ１〜ＬＥＤ３の点灯情報との対応を判断して、対応関係があれば（ここでは一致という）、一致信号を前記一方の無線機器Ａに送信することによって簡易的な縁組み（認証）を行い、この簡易的な縁組みが成立した段階で、これを利用して正規の認証手続きを行うようにする。
【００１１】
図１は、図４と同様の図であり、ここでは無線機器を無線親機Ａと無線子機Ｂとして模式的に示している。この無線親機Ａは、自機の認証データを表示する表示手段を構成する発光手段として例えば３個ＬＥＤ（ＬＥＤ１〜ＬＥＤ３）を備えている。
ここで、無線親機Ａと無線子機Ｂとはいずれも認証モードに遷移しているものとし、その状態で、無線親機Ａ側では、自機の認証データとしてＬＥＤ１〜ＬＥＤ３の点灯順序を任意に決めてその順序で点灯する。その点灯順序は、例えば、ＬＥＤ２―ＬＥＤ３―ＬＥＤ１、或いはＬＥＤ３−ＬＥＤ１―ＬＥＤ２等、任意であり、またＬＥＤの組み合わせ数も３とは限らない。２でもよいし４以上であってもよい。或いは１個のＬＥＤでもよい、但し、この場合は点灯タイミング、点灯時間などを可変にする。
【００１２】
無線子機Ｂ側では、無線子機Ｂをパソコンに接続し、ユーザは無線親機ＡのＬＥＤ１〜ＬＥＤ３の点灯順序に合わせて、パソコンの予め定めたキー例えばテンキーの１〜３のいずれかを押下する。即ち、例えば、無線親機ＡにおけるＬＥＤの点灯順序：ＬＥＤ２―ＬＥＤ３―ＬＥＤ１に合わせてパソコンのキーボードの例えばテンキー２−３−１を押下する（なお、各ＬＥＤの発光色を変えることで識別がし易くなる）。このようにして無線子機Ｂはテンキーの入力を自機の認証データとして、これを無線親機Ａに送信する。
このように互いに認証データを交換することによって、無線親機Ａと無線子機Ｂとの縁組みが成立し、以後の通信はこれにより互いに相手が同定して行うことができる。
【００１３】
図２は、無線親機Ａ及び無線子機Ｂの構造を概略的に示すブロック図である。
無線親機Ａは、後述の発光部の点灯制御を含め機器全体を制御する制御部１０と、操作部１２、無線部１４、例えば３個のＬＥＤ１〜ＬＥＤ３を備えた発光部１６、他の機器などとの通信のためのインターフェース部（Ｉ／Ｆ部）１８とを備え、制御部１０はさらにＣＰＵ(central Processing Unit)と記憶手段を備えマイクロコンピュータからなっている。
また、無線子機Ｂは、ＣＰＵと記憶手段を備えマイクロコンピュータからなり全体を制御する制御部２０と、操作部２２，無線部２４、パソコンなどの他のユーティリテイと接続するためのインターフェース部（Ｉ／Ｆ部）２６を備えている。
なお、当然のことながら、無線子機Ｂに上記発光部を設けて、無線子機Ｂで認証データを表示して無線親機Ａで入力設定することも可能である。
【００１４】
図３は、以上で説明した無線親機Ａと無線子機Ｂ間で行う第１の実施形態に係る認証データ交換手順を示すフロー図である。
図中、無線親機（ここでは単に装置Ａという）は自機の認証データの発信側であり、無線子機（ここでは単に装置Ｂという）は、この発信に対応して自機の認証データを作成する側であるとする。
まず、装置Ｂ側ではユーティリティ、例えばパソコンを起動し（Ｓ１０１）、起動後にその操作部２２の認証スイッチを操作して認証モードに遷移させる（Ｓ１０２）。ここで、装置Ａも操作部１２の認証スイッチを押下するなどして認証モードに遷移させる（Ｓ１０３）、この認証スイッチの押下は装置Ｂ側に通知され、装置Ｂ側では上記スイッチの押下通知を受信することで、両者の認証モードが確立する（Ｓ１０４）。続いて、装置Ａでは、例えば、自身のメモリに記録されているＬＥＤ１〜ＬＥＤ３の全組み合わせの中から自動的に１つの組み合わせをランダムに読み出し（或いはユーザが適当にスイッチを操作してもよい）、例えばＬＥＤ１を点灯させる（Ｓ１０５）。ユーザは装置ＡのＬＥＤ１の点灯を目視して（Ｓ１０６）、これに対応するユーティリティのキー１を押下する（Ｓ１０７）。これにより装置Ｂは自機の認証データの作成を開始する。この場合、装置Ａから送信されてくるＬＥＤ１を点灯した旨のデータと装置Ｂ側の上記キーで入力されたデータとを対比して、それらに対応関係があれば、一致信号を装置Ａ側に送信する（Ｓ１０８）。
なお、通常は一人のユーザが装置Ａ及び装置Ｂを操作する。
【００１５】
装置Ａ側では、装置Ｂからの上記一致信号を受信すると、次にＬＥＤ３を点灯させる（Ｓ１０９）。以下同様に、ユーザがＬＥＤ３の点灯を目視で確認して（Ｓ１１０）ユーティリティのキー３を押下する（Ｓ１１１）。装置Ｂは装置Ａに対して一致通知を送信する（Ｓ１１２）。
なお、装置Ｂ側では上記一致信号を受信しないときは次のＬＥＤの点灯は行わない。
以上の処理を必要回数繰り返すことで装置Ａと装置Ｂとの間で認証データが交換されて互いに認証される。認証データ交換の完了は、例えば全てのＬＥＤを同時に点灯／点滅させる、或いは別のライトを点灯／点滅させるなどして行う。
以後の通信はその認証に基づき、互いに相手を同定できる状態で行われる。
【００１６】
以上の実施形態においては、装置Ａ側の各ＬＥＤ１〜ＬＥＤ３の点灯情報と装置Ｂ側のキー入力情報との対応の一致／不一致の判断は、装置Ｂ側で行うものとして説明したが、これを装置Ａ側で行ってもよい。
図４は、無線親機Ａと無線子機Ｂ間で行う第２の実施形態に係る認証データ交換手順を示すフロー図である。
次に、この実施形態について説明する。
まず、装置Ｂ側ではユーティリティ、例えばパソコンを起動して、その後、両者の認証モードが確立し、ユーザが装置ＡのＬＥＤ１の点灯を目視して、これに対応するユーティリティのキー１を押下するまでの処理、即ちＳ２０１〜Ｓ２０７迄の処理は、上記実施形態のＳ１０１〜Ｓ１０７と同様である。  装置Ｂは、上記キー１の押下により自機の認証データの作成を開始し、装置Ａに対して点灯情報と上記認証データ作成情報の対応の一致を確認するためのキー１押下情報を送る（Ｓ２０８）。
【００１７】
装置Ａ側では、装置Ｂからのキー１押下情報を受信すると、ＬＥＤ１の点灯情報と上記キー１押下情報との対応関係を判断し、それが一致するのを確認すると、次にＬＥＤ３を点灯させる（Ｓ２０９）。以下同様に、ユーザがＬＥＤ３の点灯を目視で確認して（Ｓ２１０）ユーティリティのキー３を押下する（Ｓ２１１）。装置Ｂは装置Ａに対してキー３の押下情報を送信する（Ｓ２１２）。
なお、装置Ｂ側では上記一致確認ができないときは次のＬＥＤの点灯は行わない。
以上の処理を必要回数繰り返すことで装置Ａと装置Ｂとの間で認証データが交換されて互いに認証される。
【００１８】
このように、本実施形態では、ＬＥＤ１〜ＬＥＤ３の点灯タイミングのパターンをランダムに選ぶことで、互いの認証データはその都度変更されるため、安全管理上好ましい。
また、以上の認証データの設定では、ユーザの目視による認証データ入力工程を採用したことにより、無線機器（装置）Ａに隣接して無線機器（装置）Ｂ以外に近隣に認証モードに遷移された装置が存在していても、上記認証データがその装置に設定される虞はない。
なお、以上の説明では、一方の無線機器のＬＥＤを点灯させてその点灯順序（タイミング）で他方の無線機器との認証データ設定を行っているが、具体的な発光手段はＬＥＤの点灯順序に限らず、異なるパターンを順次表示するなど他の可視表示手段でもよく、場合によっては可視手段ではなく例えば、数字の読み上げ等を利用した可聴手段でもよい。
【００１９】
以上のように互いに認証データを交換することで、任意の２台の装置（無線機器）間で互いに相手を同定した状態で通信を行うことができる。例えば、この認証に基づき、更に高度な認証データの交換（認証）や、セキュリティ機器などのより詳細な認証を実施することができる。    
【００２０】
なお、以上の実施形態において、無線子機Ｂ側での入力に当たっては、必ずしもその入力キーを上記のようにＬＥＤ１〜ＬＥＤ３に対応させて予め登録しておく必要はなく、ユーザが任意にキーを選択してもよい。例えば、第１の実施形態では、無線子機Ｂ側で無線親機ＡからのＬＥＤ１〜ＬＥＤ３の各点灯と、無線子機側Ｂにおけるキー入力とを対応関係させ記憶し、各ＬＥＤの点灯を複数回繰り返して、無線親機Ａから送信されるＬＥＤ点灯情報における点灯パターンと、無線子機Ｂのキー入力信号パターンとの対応関係がある（ここでは一致という）ことが確認できれば、入力キーとして使用できる。
【００２１】
また、この入力キーとＬＥＤとの対応関係の一致の判断を無線親機Ａ側で行ってもよい。
即ち、第２の実施形態においては、無線親機Ａ側では、無線子機Ｂ側で選択した任意のキー入力に基づく信号（認証データ）を受信するとこれをＬＥＤ１〜ＬＥＤ３のいずれかの点灯に対応させて記録し、各ＬＥＤの点灯を複数回繰り返して、無線親機Ａ側における点灯パターンと、無線子機Ｂから送信される入力信号パターンとの対応関係がある（ここでは一致という）ことが確認できれば、入力信号が無線子機Ｂからのものであることが同定でき、このＬＥＤの点灯パターンが無線子機Ａの今回の認証データ、その返信信号パターンが無線子機Ｂの今回の認証データになる。
このようにユーザはＬＥＤ１〜ＬＥＤ３の点灯に対して任意に入力キー（テンキーとは限らない）を割り当てることができる。
【図面の簡単な説明】
【００２２】
【図１】無線親機Ａと無線子機Ｂ間での認証データ交換を模式的に示す図である。
【図２】無線親機Ａと無線子機Ｂの構成を模式的に示すブロック図である。
【図３】無線親機Ａと無線子機Ｂ間における認証データ交換手順を示す第１の実施形態のフロー図である。
【図４】無線親機Ａと無線子機Ｂ間における認証データ交換手順を示す第２の実施形態のフロー図である。
【図５】従来の無線機器間における認証データ設定交換を説明する図である。
【符号の説明】
【００２３】
１０、２０・・・制御部、１２、２２・・・操作部、１４、２４・・・無線部、１８、２６・・・インターフェース部、１６・・・発光部。
【図１】
2009089058.tif 000003
【図２】
2009089058.tif 000004
【図３】
2009089058.tif 000005
【図４】
2009089058.tif 000006
【図５】
2009089058.tif 000007